(57)【特許請求の範囲】
【請求項１】
物体側から像側へ順に、変倍のためには移動しない正の屈折力の第１レンズ群と、変倍のために移動する負の屈折力の第２レンズ群と、変倍のために移動する正の屈折力の第３レンズ群と、変倍のために移動する正の屈折力の第４レンズ群と、第５レンズ群とからなり、変倍のためにレンズ群どうしの間隔がいずれも変化するズームレンズであって、前記第３レンズ群は、変倍のために、前記第１レンズ群の最も像側の面と前記第３レンズ群の最も物体側の面との間の光軸上の距離が広角端でより特定のズーム状態でのほうが長くなり且つ像側に凸となる軌跡を含む軌跡に沿って移動し、前記第１レンズ群の最も像側の面と前記第４レンズ群の最も物体側の面との間の広角端での光軸上の距離および望遠端での光軸上の距離をそれぞれＬｗおよびＬｔとし、前記第３レンズ群の最も像側の面と前記第４レンズ群の最も物体側の面との間の広角端での光軸上の距離および望遠端での光軸上の距離をそれぞれＤｗおよびＤｔとし、前記第１レンズ群の焦点距離および前記第２レンズ群の焦点距離をそれぞれｆ１およびｆ２として、
１．２＜Ｌｗ／Ｌｔ＜１０．０
１．０＜Ｄｗ／Ｄｔ＜１００．０
−５．０＜ｆ１／ｆ２＜−０．５
なる条件式を満足することを特徴とするズームレンズ。
【請求項２】
広角端での前記ズームレンズの焦点距離および望遠端での前記ズームレンズの焦点距離をそれぞれｆｗおよびｆｔとして、
０．１＜ｆｗ／ｆ１＜１．５
２．０＜ｆｔ／ｆｗ＜３０．０
なる条件式を満足することを特徴とする請求項１に記載のズームレンズ。
【請求項３】
前記第３レンズ群の焦点距離をｆ３とし、前記第４レンズ群の焦点距離をｆ４として、
０．１＜ｆ３／ｆ４＜５．０
なる条件式を満足することを特徴とする請求項１または請求項２に記載のズームレンズ。
【請求項４】
前記第１レンズ群の最も像側の面と前記第３レンズ群の最も物体側の面との間の広角端での光軸上の距離および最大の光軸上の距離をそれぞれＭｗおよびＭｍａｘとして、
０．０＜（Ｍｍａｘ−Ｍｗ）／Ｍｗ＜１．０
なる条件式を満足することを特徴とする請求項１ないし請求項３のうちいずれか１項に記載のズームレンズ。
【請求項５】
前記第２レンズ群と前記第３レンズ群との間または前記第３レンズ群と前記第４レンズ群との間に開口絞りを有することを特徴とする請求項１ないし請求項４のうちいずれか１項に記載のズームレンズ。
【請求項６】
前記開口絞りは、変倍のためには移動しないことを特徴とする請求項５に記載のズームレンズ。
【請求項７】
前記第３レンズ群は、１枚のレンズからなることを特徴とする請求項１ないし請求項６のうちいずれか１項に記載のズームレンズ。
【請求項８】
前記第４レンズ群は、１枚の正の屈折力のレンズと１枚の負の屈折力のレンズとからなることを特徴とする請求項１ないし請求項７のうちいずれか１項に記載のズームレンズ。
【請求項９】
前記第５レンズ群は、変倍のためには移動しないことを特徴とする請求項１ないし請求項８のうちいずれか１項に記載のズームレンズ。
【請求項１０】
請求項１ないし請求項９のうちいずれか１項に記載のズームレンズと、
前記ズームレンズの像面に配された撮像素子と、
を有することを特徴とする撮像装置。
【発明の詳細な説明】
【技術分野】
【０００１】
本発明は、ズームレンズおよび撮像装置に関するものである。
【背景技術】
【０００２】
近年、テレビカメラ、銀塩フィルム用カメラ、デジタルカメラ、ビデオカメラ等の撮像装置には、広画角、高変倍比でしかも高い光学性能を有したズームレンズが要望されている。広画角、高変倍比のズームレンズとして、最も物体側に正の屈折力のレンズ群を配置した５つのレンズ群より成るポジティブリード型の５群ズームレンズが知られている。
【０００３】
ポジティブリード型のズームレンズとして、負の屈折力の第２レンズ群、正の屈折力の第３レンズ群、正の屈折力の第４レンズ群の３つの可動レンズ群が、変倍と変倍に伴う像面変動補正を行う５群ズームレンズが知られている（特許文献１、２）。
【０００４】
特許文献１では、変倍比１７倍程度、広角端の撮影画角７０°程度であるズームレンズが開示されている。特許文献２では、変倍比５４倍程度、広角端の撮影画角６０°程度であるズームレンズが開示されている。
【先行技術文献】
【特許文献】
【０００５】
【特許文献１】特開平７−２４８４４９号公報
【特許文献２】特開２００９−１２８４９１号公報
【発明の概要】
【発明が解決しようとする課題】
【０００６】
前述したポジティブリード型のズームレンズは、広画角化および高変倍化が比較的容易であるが、高い光学性能と小型化を両立するためには、レンズの屈折力配置を適切に設定することが重要である。特に最も物体側の第１レンズ群は軸外の光束が最も光軸から離れた位置を通過し、他のレンズ群と比べ大きくなり易いため、第１レンズ群と第２レンズ群の屈折力を適切に設定することが重要となる。また、変倍時に移動するレンズ群の屈折力および移動軌跡を適切に設定することで、第１レンズ群の広角側における軸外の光束を光軸に近付けることや、変倍時の収差変動を小さくすることができ、光学性能と小型化の両立が可能である。
【０００７】
特許文献１、２に開示されているズームレンズは、変倍を担う第２〜４レンズ群のうち、第２レンズ群は物体側から像側に単調に移動し、第３、４レンズ群は概ね像側から物体側へ単調に移動している。第３レンズ群と第４レンズ群が比較的近い移動軌跡をしているため、高変倍化に向いているものの、各々のレンズ群の屈折力が大きくなり易く、製造誤差が光学性能に影響を与え易い。
【０００８】
本発明は、例えば、広画角、高変倍比、小型、および全変倍範囲にわたる高い光学性能の点で有利なズームレンズの提供を目的とする。
【課題を解決するための手段】
【０００９】
本発明のズームレンズは、物体側から像側へ順に、変倍のためには移動しない正の屈折力の第１レンズ群と、変倍のために移動する負の屈折力の第２レンズ群と、変倍のために移動する正の屈折力の第３レンズ群と、変倍のために移動する正の屈折力の第４レンズ群と、第５レンズ群とからなり、変倍のためにレンズ群どうしの間隔がいずれも変化するズームレンズであって、前記第３レンズ群は、変倍のために、前記第１レンズ群の最も像側の面と前記第３レンズ群の最も物体側の面との間の光軸上の距離が広角端でより特定のズーム状態でのほうが長くなり且つ像側に凸となる軌跡を含む軌跡に沿って移動し、前記第１レンズ群の最も像側の面と前記第４レンズ群の最も物体側の面との間の広角端での光軸上の距離および望遠端での光軸上の距離をそれぞれＬｗおよびＬｔとし、前記第３レンズ群の最も像側の面と前記第４レンズ群の最も物体側の面との間の広角端での光軸上の距離および望遠端での光軸上の距離をそれぞれＤｗおよびＤｔとし、前記第１レンズ群の焦点距離および前記第２レンズ群の焦点距離をそれぞれｆ１およびｆ２として、
１．２＜Ｌｗ／Ｌｔ＜１０．０
１．０＜Ｄｗ／Ｄｔ＜１００．０
−５．０＜ｆ１／ｆ２＜−０．５
なる条件式を満足することを特徴としている。
【発明の効果】
【００１０】
本発明によれば、例えば、広画角、高変倍比、小型、および全変倍範囲にわたる高い光学性能の点で有利なズームレンズを提供できる。
【図面の簡単な説明】
【００１１】
【図１】数値実施例１の広角端において無限遠物体に合焦したときのレンズ断面図
【図２】（Ａ）、（Ｂ）、（Ｃ）数値実施例１の広角端、ズーム中間、望遠端で無限遠物体に合焦したときの収差図
【図３】数値実施例２の広角端において無限遠物体に合焦したときのレンズ断面図
【図４】（Ａ）、（Ｂ）、（Ｃ）数値実施例２の広角端、ズーム中間、望遠端で無限遠物体に合焦したときの収差図
【図５】数値実施例３の広角端において無限遠物体に合焦したときのレンズ断面図
【図６】（Ａ）、（Ｂ）、（Ｃ）数値実施例３の広角端、ズーム中間、望遠端で無限遠合焦したときの収差図
【図７】数値実施例４の広角端において無限遠物体に合焦したときのレンズ断面図
【図８】（Ａ）、（Ｂ）、（Ｃ）数値実施例４の広角端、ズーム中間、望遠端で無限遠合焦したときの収差図
【図９】数値実施例５の広角端において無限遠物体に合焦したときのレンズ断面図
【図１０】（Ａ）、（Ｂ）、（Ｃ）数値実施例５の広角端、ズーム中間、望遠端で無限遠合焦したときの収差図
【図１１】数値実施例６の広角端において無限遠物体に合焦したときのレンズ断面図
【図１２】（Ａ）、（Ｂ）、（Ｃ）数値実施例６の広角端、ズーム中間、望遠端で無限遠合焦したときの収差図
【図１３】数値実施例７の広角端において無限遠物体に合焦したときのレンズ断面図
【図１４】（Ａ）、（Ｂ）、（Ｃ）数値実施例７の広角端、ズーム中間、望遠端で無限遠合焦したときの収差図
【図１５】本発明の撮像装置の要部概略図
【発明を実施するための形態】
【００１２】
以下、本発明の実施の形態を添付の図面に基づいて詳細に説明する。
実施例１〜７に記載の本発明のズームレンズは、物体側から像側へ順に、変倍時に固定の正の屈折力の第１レンズ群を有する。更に変倍時に移動する負の屈折力の第２レンズ群、変倍時に移動する正の屈折力の第３レンズ群、正の屈折力の第４レンズ群、第５レンズ群を有している。また、変倍時には全てのレンズ群の間隔が変化する。
【００１３】
第３レンズ群は変倍に際し、第１レンズ群の最も像側の面と第３レンズ群の最も物体側の面の光軸上の距離が、少なくとも一度は広角端より広がる点を通過する。すなわち、第３レンズ群は変倍に際し、第１レンズ群の最も像側の面と第３レンズ群の最も物体側の面の光軸上の距離が広角端より長いズーム位置を有する軌跡に沿って移動する。
【００１４】
ここで各レンズ群が変倍に際して不動というのは、変倍を行う目的で駆動されることは無いが、変倍とフォーカシングとを同時に行う場合があれば、フォーカシングのために移動することはあり得るということである。
【００１５】
図１は本発明の実施例１（数値実施例１）のズームレンズの広角端（焦点距離、ｆ＝１７．００ｍｍ）で無限遠物体に合焦しているときのレンズ断面図である。図２（Ａ）（Ｂ）（Ｃ）は数値実施例１の広角端（焦点距離、ｆ＝１７．００ｍｍ）、ズーム中間（焦点距離、ｆ＝３７．０３ｍｍ）、望遠端（焦点距離、ｆ＝９０．００ｍｍ）における無限遠物体に合焦しているときの収差図である。但し、焦点距離は数値実施例の値をｍｍ単位で表したときの値である。これは以下の各実施例において全て同じである。
【００１６】
図３は本発明の実施例２（数値実施例２）のズームレンズの広角端（焦点距離、ｆ＝２４．００ｍｍ）で無限遠物体に合焦しているときのレンズ断面図である。図４（Ａ）（Ｂ）（Ｃ）は数値実施例２の広角端（焦点距離、ｆ＝２４．００ｍｍ）、ズーム中間（焦点距離、ｆ＝５３．１４ｍｍ）、望遠端（焦点距離、ｆ＝１２０．００ｍｍ）における無限遠物体に合焦しているときの収差図である。
【００１７】
図５は本発明の実施例３（数値実施例３）のズームレンズの広角端（焦点距離、ｆ＝２８．００ｍｍ）で無限遠物体に合焦しているときのレンズ断面図である。図６（Ａ）（Ｂ）（Ｃ）は数値実施例３の広角端（焦点距離、ｆ＝２８．００ｍｍ）、ズーム中間（焦点距離、ｆ＝４６．６６ｍｍ）、望遠端（焦点距離、ｆ＝８４．００ｍｍ）における無限遠物体に合焦しているときの収差図である。
【００１８】
図７は本発明の実施例４（数値実施例４）のズームレンズの広角端（焦点距離、ｆ＝１９．００ｍｍ）で無限遠物体に合焦しているときのレンズ断面図である。図８（Ａ）（Ｂ）（Ｃ）は数値実施例４の広角端（焦点距離、ｆ＝１９．００ｍｍ）、ズーム中間（焦点距離、ｆ＝３９．１７ｍｍ）、望遠端（焦点距離、ｆ＝９０．００ｍｍ）における無限遠物体に合焦しているときの収差図である。
【００１９】
図９は本発明の実施例５（数値実施例５）のズームレンズの広角端（焦点距離、ｆ＝１０ｍｍ）で無限遠物体に合焦しているときのレンズ断面図である。図１０（Ａ）（Ｂ）（Ｃ）は数値実施例５の広角端（焦点距離、ｆ＝１０．００ｍｍ）、ズーム中間（焦点距離、ｆ＝１６．００ｍｍ）、望遠端（焦点距離、ｆ＝２５．００ｍｍ）における無限遠物体に合焦しているときの収差図である。
【００２０】
図１１は本発明の実施例６（数値実施例６）のズームレンズの広角端（焦点距離、ｆ＝２２ｍｍ）で無限遠物体に合焦しているときのレンズ断面図である。図１２（Ａ）（Ｂ）（Ｃ）は数値実施例６の広角端（焦点距離、ｆ＝２２．００ｍｍ）、ズーム中間（焦点距離、ｆ＝７０．００ｍｍ）、望遠端（焦点距離、ｆ＝２２０．００ｍｍ）における無限遠物体に合焦しているときの収差図である。
【００２１】
図１３は本発明の実施例７（数値実施例７）のズームレンズの広角端（焦点距離、ｆ＝２６ｍｍ）で無限遠物体に合焦しているときのレンズ断面図である。図１２（Ａ）（Ｂ）（Ｃ）は数値実施例７の広角端（焦点距離、ｆ＝２６．００ｍｍ）、ズーム中間（焦点距離、ｆ＝５８．００ｍｍ）、望遠端（焦点距離、ｆ＝１３０．００ｍｍ）における無限遠物体に合焦しているときの収差図である。
図１５は本発明の撮像装置の要部概略図である。
【００２２】
各レンズ断面図において、左方が被写体（物体）側（前方）で、右方が像側（後方）である。レンズ断面図において、Ｂ１は変倍の際に不動の正の屈折力の第１レンズ群（前玉レンズ群）である。図１、５、７、９、１１に示す実施例１、３〜６のズームレンズにおいては、Ｂ１２は第１レンズ群Ｂ１中のフォーカスレンズ群であり、無限遠物体から近距離物体へのフォーカスの際に像側へ移動する。Ｂ１１、Ｂ１３は第１レンズ群Ｂ１中のフォーカスの際に不動の固定群である。図３、１３示す実施例２、７のズームレンズにおいては、Ｂ１２、Ｂ１３は第１レンズ群Ｂ１中のフォーカスレンズ群であり、無限遠物体から近距離物体へのフォーカスの際に、Ｂ１２は像側へ、Ｂ１３は被写体側へ連動して移動する。Ｂ１１は第１レンズ群Ｂ１中のフォーカスの際に不動の固定レンズ群である。
【００２３】
Ｂ２、Ｂ３およびＢ４の３つのレンズ群でズーム系（変倍レンズ群）が構成されている。Ｂ５は変倍の際に不動の結像作用をする第５レンズ群（リレーレンズ群）である。図１において、Ｂ５１は第５レンズ群Ｂ５中の防振レンズ群であり、光軸と直交方向へ移動する。Ｂ５２は第５レンズ群Ｂ５中の防振のためには移動しない固定レンズ群である。
【００２４】
ＳＰは絞り（開口絞り）である。図７に示す実施例４においては、開口絞りＳＰは変倍の際にズーム系（変倍レンズ群）と連動して移動する。
【００２５】
Ｉは撮像面であり、放送用テレビカメラ、映画用カメラ、ビデオカメラ、デジタルスチルカメラの撮像光学系として使用する際には、ズームレンズで形成された像を受光し、光電変換する固体撮像素子（光電変換素子）等の撮像面に相当している。フィルム用カメラの撮像光学系として使用する際には、ズームレンズで形成された像が感光するフィルム面に相当する。
【００２６】
収差図において、球面収差における直線と二点鎖線と一点鎖線と破線は各々ｅ線、g線、Ｃ線、Ｆ線である。非点収差における破線と実線は各々メリディオナル像面，サジタル像面であり、倍率色収差における二点鎖線と一点鎖線と破線は各々g線、Ｃ線、Ｆ線である。ωは半画角、ＦｎｏはＦナンバーである。尚、以下の各実施例においてズーム用のレンズ群が最も短焦点側の配置となった場合を広角端、最も長焦点側の配置となった場合を望遠端という。
【００２７】
本発明のズームレンズは、本発明のズームレンズは、物体側から像側へ順に、変倍のためには移動しない正の屈折力の第１レンズ群を有する。更に変倍に際して移動する負の屈折力の第２レンズ群、変倍に際して移動する正の屈折力の第３レンズ群、正の屈折力の第４レンズ群、第５レンズ群を有する。また、変倍時に全てのレンズ群の間隔が変化する。
【００２８】
第３レンズ群は変倍に際し、第１レンズ群の最も像側の面と第３レンズ群の最も物体側の面の光軸上の距離が、少なくとも一度は広角端より広がる点を通過する。すなわち、第３レンズ群は変倍に際し、第１レンズ群の最も像側の面と第３レンズ群の最も物体側の面の光軸上の距離が広角端より長いズーム位置を有する軌跡に沿って移動する。
【００２９】
第１レンズ群の最も像側の面と第４レンズ群の最も物体側の面の広角端、望遠端における光軸上の距離を各々Ｌｗ、Ｌｔとする。第３レンズ群の最も像側の面と第４レンズ群の最も物体側の面の広角端、望遠端における光軸上の距離を各々Ｄｗ、Ｄｔとする。第１レンズ群、第２レンズ群の焦点距離を各々ｆ１、ｆ２とする。
このとき、
１．０＜Ｌｗ／Ｌｔ＜１０．０  ・・・（１）
１．０＜Ｄｗ／Ｄｔ＜１００．０  ・・・（２）
−５．０＜ｆ１／ｆ２＜−０．５  ・・・（３）
なる条件を満足している。
【００３０】
条件式（１）は、第１レンズ群の最も像側の面と第４レンズ群の最も物体側の面の広角端、望遠端における光軸上の距離を規定しているが、第１レンズ群は変倍に際し固定であるため、実質的には第４レンズ群の広角端と望遠端の関係を規定している。各実施例のズームレンズでは、第４レンズ群の移動軌跡を適切に設定することが、高い光学性能と小型化を両立するために重要な要素となっている。条件式（１）を満足することにより、レンズの大型化を抑制しつつ、諸収差を良好に補正することが可能となる。
【００３１】
条件式（１）の上限を超えると、変倍に際し、第４レンズ群の移動量が大きくなり過ぎるため、全長が増大することで、レンズが大型化してしまう。条件式（１）の下限を超えると、変倍に際し、第４レンズ群の横倍率の変化が小さくなり過ぎるため、諸収差の抑制、特に望遠側の色収差の抑制が困難となる。
更に好ましくは条件式（１）の数値範囲を次の如く設定するのが良い。
１．２＜Ｌｗ／Ｌｔ＜２．５  ・・・（１ａ）
【００３２】
条件式（２）は、第３レンズ群の最も像側の面と第４レンズ群の最も物体側の面の広角端、望遠端における光軸上の距離を規定している。各実施例のズームレンズでは、第３レンズ群と第４レンズ群の関係を適切に設定することが、高い光学性能と小型化を両立するために重要な要素となっている。条件式（２）を満足することにより、レンズの大型化を抑制しつつ、諸収差を良好に補正することが可能となる。
【００３３】
条件式（２）の上限を超えると、変倍に際し、第３レンズ群と第４レンズ群の光軸上の距離が相対的に変化し過ぎるため、全長が増大し、レンズが大型化してしまう。またはレンズ群間隔が望遠端で接近し過ぎてしまい、高速で駆動すると硝子同士が接触してしまう。条件式（２）の下限を超えると、変倍に際し、第３レンズ群と第４レンズ群の光軸上の距離が、広角端よりも望遠端が広がるため、変倍による諸収差の変動を抑制することが困難となる。
更に好ましくは条件式（２）の数値範囲を次の如く設定するのが良い。
３．０＜Ｄｗ／Ｄｔ＜５０．０  ・・・（２ａ）
【００３４】
条件式（３）は、第１レンズ群と第２レンズ群の焦点距離の比を規定している。各実施例のズームレンズでは、第１レンズ群と第２レンズ群の焦点距離の比を適切に設定することが、高い光学性能と小型化を両立するために重要な要素となっている。条件式（３）を満足することにより、レンズの大型化を抑制しつつ、諸収差を良好に補正することが可能となる。
【００３５】
条件式（３）の上限を超えると、第２レンズ群の焦点距離が相対的に長くなり過ぎるため、第２レンズ群の移動量が増大し、レンズが大型化してしまう。条件式（３）の下限を超えると、第２レンズ群の焦点距離が相対的に短くなり過ぎるため、変倍による諸収差の変動を抑制することが困難となる。
更に好ましくは条件式（３）の数値範囲を次の如く設定するのが良い。
−２．７＜ｆ１／ｆ２＜−０．７  ・・・（３ａ）
【００３６】
以上の各条件を満たすことにより、本発明の各実施例はズーム全域において収差補正が良好に補正された、小型、軽量なズームレンズを得ている。
【００３７】
本発明のズームレンズは、更に好ましくは、広角端、望遠端における焦点距離を各々ｆｗ、ｆｔとしたとき、
０．１＜ｆｗ／ｆ１＜１．５  ・・・（４）
２．０＜ｆｔ／ｆｗ＜３０．０  ・・・（５）
なる条件を満足するのが良い。
【００３８】
条件式（４）は、広角端の焦点距離と第１レンズ群の焦点距離の比を規定している。
条件式（４）の上限を超えると、第１レンズ群の焦点距離が相対的に短くなり過ぎるため、諸収差の抑制、特に望遠側の色収差の抑制が困難となる。また、製造誤差が性能に与える影響が大きくなるため、製造バラツキによる性能低下が大きくなる。条件式（４）の下限を超えると、第１レンズ群の焦点距離が相対的に長くなり過ぎるため、第１レンズ群のレンズ径が大きくなり、広角化と小型化の両立が困難となる。
更に好ましくは条件式（４）の数値範囲を次の如く設定するのが良い。
０．３＜ｆｗ／ｆ１＜１．０  ・・・（４ａ）
【００３９】
条件式（５）は、望遠端の焦点距離と広角端の焦点距離の比を規定している。
条件式（５）の上限を超えると、変倍時に移動するレンズ群の移動量が増大し、レンズが大型化してしまう。条件式（５）の下限を超えると、ズーム比が小さ過ぎるため、使い勝手が良くない。
更に好ましくは条件式（５）の数値範囲を次の如く設定するのが良い。
２．５＜ｆｔ／ｆｗ＜１５．０  ・・・（５ａ）
【００４０】
本発明のズームレンズは、更に好ましくは、第３レンズ群の焦点距離をｆ３、第４レンズ群の焦点距離をｆ４としたとき、
０．１＜ｆ３／ｆ４＜５．０  ・・・（６）
なる条件を満足するのが良い。
【００４１】
条件式（６）は第３レンズ群と第４レンズ群の焦点距離の比を規定している。
条件式（６）の上限を超えると、第３レンズ群の焦点距離が相対的に長くなり過ぎるため、変倍に際し、移動量が増大し、レンズが大型化してしまう。条件式（６）の下限を超えると、第３レンズ群の焦点距離が相対的に短くなり過ぎるため、変倍による諸収差の変動を抑制することが困難となる。また、製造誤差が性能に与える影響が大きくなるため、製造バラツキによる性能低下が大きくなる。
更に好ましくは条件式（６）の数値範囲を次の如く設定するのが良い。
０．３＜ｆ３／ｆ４＜３．０   ・・・（６ａ）
【００４２】
本発明のズームレンズは、更に好ましくは、第１レンズ群の最も像側の面と第３レンズ群の最も物体側の面の広角端、および最も広がるズーム位置での光軸上の距離を各々Ｍｗ、Ｍｍａｘとしたとき、
０．０＜（Ｍｍａｘ−Ｍｗ）／Ｍｗ＜１．０  ・・・（７）
なる条件を満足するのが良い。
【００４３】
条件式（７）は第１レンズ群の最も像側の面と第３レンズ群の最も物体側の面の広角端、および最も広がるズーム位置での光軸上の距離を規定しているが、第１レンズ群は変倍のためには移動しないため、実質的には第３レンズ群の広角端と最も広がるズーム位置の関係を規定している。
【００４４】
条件式（７）の上限を超えると、第３レンズ群の比直線的な移動量が増大し過ぎるため、制御が困難となる。また、変倍に際し、第４レンズ群と接近し過ぎてしまい、高速で駆動すると硝子同士が接触してしまう。条件式（７）の下限を超えると、第３レンズ群の焦点距離が短くなり過ぎるため、変倍による諸収差の変動を抑制することが困難となる。また、製造誤差が性能に与える影響が大きくなるため、製造バラツキによる性能低下が大きくなる。
更に好ましくは条件式（７）の数値範囲を次の如く設定するのが良い。
２．０×１０-2＜（Ｍｍａｘ−Ｍｗ）／Ｍｗ＜５．０×１０-1  ・・・（７ａ）
【００４５】
本発明のズームレンズは、更に好ましくは、開口絞りを第２レンズ群と第３レンズ群の間、または第３レンズ群内に構成するのが良い。これにより、第１レンズ群の径を小さくすることと、高倍率化の両立が容易となる。
【００４６】
本発明のズームレンズは、更に好ましくは、開口絞りは変倍のためには移動しない構成とする方が良い。これにより、絞り制御の配線が容易となる。（実施例１〜３、５〜７）
【００４７】
本発明のズームレンズは、更に好ましくは、第３レンズ群は１枚のレンズで構成されるのが良い。これにより、第３レンズ群が軽量化され、往復移動する場合にも、制御の負担が軽減される。（実施例２、４〜７）
【００４８】
本発明のズームレンズは、更に好ましくは、第４レンズ群は正の屈折力のレンズ１枚と負の屈折力のレンズ１枚で構成されるのが良い。これにより、変倍による諸収差の変動を抑制することが可能となる。また、第４レンズ群が軽量化され、高速駆動することが可能となる。（実施例１、３、５）
【００４９】
本発明のズームレンズは、更に好ましくは、第５レンズ群は変倍のためには移動しない構成とする方が良い。これにより、制御が容易となる。また、実施例１において、防振レンズ群を備えることが容易となる。
【００５０】
次に各実施例のレンズ構成の特徴について説明する。
【実施例１】
【００５１】
第１実施例において、第１レンズ群Ｂ１は第１面〜第１５面に対応する。第２レンズ群Ｂ２は第１６面〜第２２面に対応する。開口絞りは第２３面に対応する。第３レンズ群Ｂ３は第２４面〜第２８面に対応する。第４レンズ群Ｂ４は第２９面〜第３２面に対応する。第５レンズ群Ｂ５は第３３面〜第４２面に対応し、第５１レンズ群Ｂ５１が第３３面〜第３７面に対応する。
【００５２】
広角端から望遠端への変倍に際して、第２レンズ群Ｂ２は像側へ直線的に移動するとき、第３レンズ群Ｂ３は像側に凸の軌跡を描きながら略往復移動する。第４レンズ群Ｂ４は物体側に移動し、広角側よりも像側で移動量が増加する。
【００５３】
開口絞りは変倍に際して径を変化させ、望遠端で最大となる。また、変倍に際して、光軸方向には不動である。
第５１レンズ群Ｂ５１は光軸と略垂直方向に移動することで、像ぶれを補正する。
【００５４】
後述する表１に示すように数値実施例１は条件式（１）〜（７）のいずれの条件式も満足しており、５．２９倍の高変倍比で広角端における撮影画角（画角）８４．９０°と広画角化を達成している。且つズーム全域において諸収差を良好に補正した高い光学性能を得ている。
【実施例２】
【００５５】
第２実施例において、第１レンズ群Ｂ１は第１面〜第１５面に対応する。第２レンズ群Ｂ２は第１６面〜第２２面に対応する。開口絞りは第２３面に対応する。第３レンズ群Ｂ３は第２４面〜第２５面に対応し、第４レンズ群Ｂ４は第２６面〜第３０面に対応する。第５レンズ群Ｂ５は第３１面〜第３５面に対応する。
【００５６】
広角端から望遠端への変倍に際して、第２レンズ群Ｂ２は像側へ直線的に移動するとき、第３レンズ群Ｂ３は略Ｓ字の軌跡を描きながら移動し、最初物体側に移動し、次に像側に移動したのち、最終的に物体側に移動する。
【００５７】
開口絞りは変倍に際して径を変化させ、望遠端で最大となる。また、変倍に際して、光軸方向には不動である。
【００５８】
無限端物体から近距離物体へのフォーカシングに際して、第１２レンズ群Ｂ１２は像側へ直線的に移動するとき、第１３レンズ群Ｂ１３は物体側へ直線的に移動する。
【００５９】
後述する表１に示すように数値実施例２は条件式（１）〜（７）のいずれの条件式も満足しており、５．００倍の高変倍比で広角端における撮影画角（画角）６５．８８°と広画角化を達成している。且つズーム全域において諸収差を良好に補正した高い光学性能を得ている。
【実施例３】
【００６０】
第３実施例において、第１レンズ群Ｂ１は第１面〜第１７面に対応する。第２レンズ群Ｂ２は第１８面〜第２４面に対応する。開口絞りは第２５面に対応する。第３レンズ群Ｂ３は第２６面〜第３０面に対応する。第４レンズ群Ｂ４は第３１面〜第３４面に対応する。第５レンズ群Ｂ５は第３５面〜第４４面に対応する。
【００６１】
広角端から望遠端への変倍に際して、第２レンズ群Ｂ２は像側へ直線的に移動するとき、第３レンズ群Ｂ３は、最初像側に移動し、最終的に物体側に移動する。
【００６２】
開口絞りは変倍に際して径を変化させ、望遠端で最大となる。また、変倍に際して、光軸方向には不動である。
【００６３】
後述する表１に示すように数値実施例３は条件式（１）〜（７）のいずれの条件式も満足しており、３．００倍の高ズーム比で広角端における撮影画角（画角）７５．３８°と広画角化を達成している。且つズーム全域において諸収差を良好に補正した高い光学性能を得ている。
【実施例４】
【００６４】
第４実施例において、第１レンズ群Ｂ１は第１面〜第１５面に対応する。第２レンズ群Ｂ２は第１６面〜第２２面に対応する。開口絞りは第２３面に対応する。第３レンズ群Ｂ３は第２４面〜第２５面に対応する。第４レンズ群Ｂ４は第２６面〜第３０面に対応する。第５レンズ群Ｂ５は第３１面〜第３８面に対応する。
【００６５】
開口絞りは変倍に際して径を変化させ、望遠端で最大となる。また、変倍に際して、光軸方向に移動する。広角端から望遠端への変倍に際して、第２レンズ群Ｂ２は像側へ直線的に移動するとき、第３レンズ群Ｂ３は略Ｓ字の軌跡を描きながら移動し、最初物体側に移動し、次に像側に移動したのち、最終的に物体側に移動する。開口絞りは略逆Ｓ字の軌跡を描きながら移動し、最初像側に移動し、次に物体側に移動したのち、最終的に像側に移動する。
【００６６】
後述する表１に示すように数値実施例４は条件式（１）〜（７）のいずれの条件式も満足しており、４．７４倍の高ズーム比で広角端における撮影画角（画角）７８．６０°と広画角化を達成している。且つズーム全域において諸収差を良好に補正した高い光学性能を得ている。
【実施例５】
【００６７】
第５実施例において、第１レンズ群Ｂ１は第１面〜第１６面に対応する。第２レンズ群Ｂ２は第１７面〜第２３面に対応する。開口絞りは第２４面に対応する。第３レンズ群Ｂ３は第２５面〜第２６面に対応する。第４レンズ群Ｂ４は第２７面〜第３０面に対応する。第５レンズ群Ｂ５は第３１面〜第４１面に対応する。
【００６８】
広角端から望遠端への変倍に際して、第２レンズ群Ｂ２は像側へ直線的に移動するとき、第３レンズ群Ｂ３は像側に凸の軌跡を描きながら略往復移動する。第４レンズ群Ｂ４は物体側に移動し、広角側よりも像側で移動量が増加する。
【００６９】
開口絞りは変倍に際して径を変化させ、望遠端で最大となる。また、変倍に際して、光軸方向には不動である。
【００７０】
後述する表１に示すように数値実施例５は条件式（１）〜（７）のいずれの条件式も満足しており、２．５０倍の高変倍比で広角端における撮影画角（画角）１１４．５２°と広画角化を達成している。且つズーム全域において諸収差を良好に補正した高い光学性能を得ている。
【実施例６】
【００７１】
第６実施例において、第１レンズ群Ｂ１は第１面〜第１５面に対応する。第２レンズ群Ｂ２は第１６面〜第２２面に対応する。開口絞りは第２３面に対応する。第３レンズ群Ｂ３は第２４面〜第２５面に対応する。第４レンズ群Ｂ４は第２６面〜第３０面に対応する。第５レンズ群Ｂ５は第３１面〜第３６面に対応する。
【００７２】
広角端から望遠端への変倍に際して、第２レンズ群Ｂ２は像側へ直線的に移動するとき、第３レンズ群Ｂ３は、最初像側に移動し、最終的に物体側に移動する。
【００７３】
開口絞りは変倍に際して径を変化させ、望遠端で最大となる。また、変倍に際して、光軸方向には不動である。
【００７４】
後述する表１に示すように数値実施例６は条件式（１）〜（７）のいずれの条件式も満足しており、１０．００倍の高変倍比で広角端における撮影画角（画角）７０．５０°と広画角化を達成している。且つズーム全域において諸収差を良好に補正した高い光学性能を得ている。
【実施例７】
【００７５】
第７実施例において、第１レンズ群Ｂ１は第１面〜第１５面に対応する。第２レンズ群Ｂ２は第１６面〜第２２面に対応する。第３レンズ群Ｂ３は第２３面〜第２４面に対応し、開口絞りは第２５面に対応する。第４レンズ群Ｂ４は第２６面〜第３０面に対応する。第５レンズ群Ｂ５は第３１面〜第３５面に対応する。
【００７６】
広角端から望遠端への変倍に際して、第２レンズ群Ｂ２は像側へ直線的に移動するとき、第３レンズ群Ｂ３は略Ｓ字の軌跡を描きながら移動し、最終的に物体側に移動する。
【００７７】
開口絞りは変倍に際して径を変化させ、望遠端で最大となる。また、変倍に際して、第３レンズ群と一体で移動する。
【００７８】
無限端物体から近距離物体へのフォーカシングに際して、第１２レンズ群Ｂ１２は像側へ直線的に移動するとき、第１３レンズ群Ｂ１３は物体側へ直線的に移動する。
【００７９】
後述する表１に示すように数値実施例７は条件式（１）〜（７）のいずれの条件式も満足しており、５．００倍の高変倍比で広角端における撮影画角（画角）６１．７６°と広画角化を達成している。且つズーム全域において諸収差を良好に補正した高い光学性能を得ている。
【００８０】
以上のように各実施例によれば、各レンズ群の屈折力配置やズーム用の移動レンズ群の移動軌跡等を適切に規定している。これにより、高変倍化と広画角化を両立しつつ、諸収差を良好に補正したズームレンズを得ている。
【００８１】
図１５は実施例１〜７のズームレンズを撮影光学系として用いた撮像装置（テレビカメラシステム）の要部概略図である。図１５において１０１は実施例１〜７のいずれかのズームレンズである。１２４はカメラである。ズームレンズ１０１はカメラ１２４に対して着脱可能となっている。１２５はカメラ１２４にズームレンズ１０１を装着することで構成される撮像装置である。ズームレンズ１０１は第１レンズ群Ｆ、ズーム部ＬＺ、結像用の第５レンズ群Ｒを有している。第１レンズ群Ｆはフォーカシングのために一部のレンズ群を移動するレンズ群Ｂ１１〜Ｂ１３が含まれている。
【００８２】
ズーム部ＬＺは実施例１〜７の変倍のために光軸上を移動する第２レンズ群Ｂ２、第３レンズ群Ｂ３、第４レンズ群Ｂ４と、変倍のためには不動の最も像側の第５レンズ群Ｂ５が含まれている。ＳＰは開口絞りである。１１４、１１５は各々フォーカシング群、ズーム部ＬＺを光軸方向に駆動するヘリコイドやカム等の駆動機構である。
【００８３】
１１６〜１１８は駆動機構１１４、１１５および開口絞りＳＰを電動駆動するモータ（駆動手段）である。１１９〜１２１は、フォーカシング群やズーム部ＬＺの光軸上の位置や、開口絞りＳＰの絞り径を検出するためのエンコーダやポテンショメータ、あるいはフォトセンサ等の検出器である。カメラ１２４において、１０９はカメラ１２４内の光学フィルタに相当するガラスブロック、１１０はズームレンズ１０１によって形成された被写体像を受光するＣＣＤセンサやＣＭＯＳセンサ等の固体撮像素子（光電変換素子）である。
【００８４】
また、１１１、１２２はカメラ１２４およびズームレンズ１０１の各種の駆動を制御するＣＰＵである。このように本発明のズームレンズをテレビカメラに適用することにより、高い光学性能を有する撮像装置を実現している。
【００８５】
以上、本発明の好ましい実施例について説明したが、本発明はこれらの実施例に限定されないことはいうまでもなく、その要旨の範囲内で種々の変形および変更が可能である。
【００８６】
以下に本発明の実施例１〜７に対する数値実施例１〜７を示す。各数値実施例において、ｉは物体側からの面の順序を示し、ｒｉは物体側より第ｉ番目の面の曲率半径、ｄｉは物体側より第ｉ面と第（ｉ＋１）面の間隔、ｎｄｉ，νｄｉは第ｉ面と第（ｉ＋１）面との間の光学部材の屈折率とアッベ数である。非球面は面番号の横に＊印を付けている。各実施例と前述した条件式との対応を表１に示す。
【００８７】
非球面形状は光軸方向にＸ軸、光軸と垂直方向にＨ軸、光の進行方向を正とし、Ｒを近軸曲率半径、ｋを円錐常数、Ａ４、Ａ６、Ａ８をそれぞれ非球面係数としたとき、次式で表している。また、「ｅ−Ｚ」は「×１０-Z」を意味する。
【数１】
0006529457.tif 000002
【００８８】
変倍の際に移動するレンズ群の移動量は、変倍の際に移動する最も物体側のレンズ群を広角端と望遠端を結ぶ直線で動かしたとき、下記の数式に従い移動する。また、変倍の際に移動する最も像側のレンズ群は、変倍に伴う像面変動補正用に移動する。
【００８９】
移動量はｊをレンズ群の番号とし、光軸方向への移動量をｆｊ（ｙ）、光の進行方向を正、ｙは広角端から望遠端までの移動量を１として示し、Ｂｊ１、Ｂｊ２、Ｂｊ３、Ｂｊ４、Ｂｊ５、Ｂｊ６、Ｂｊ７、Ｂｊ８それぞれ移動係数としたとき、次式で表している。
【数２】
0006529457.tif 000003
【００９０】
フォーカシングの際に２群以上のレンズが移動する所謂フローティングフォーカスのレンズ群の移動量は、フォーカシングの際に移動する最も物体側のレンズ群を無限端と至近端を結ぶ直線で動かしたとき、下記の数式に従い移動する。
移動量はｊをレンズ群の番号とし、光軸方向への移動量をｇｊ（ｙ）、光の進行方向を正、ｙは最も物体側のレンズの移動量を示し、Ｃｊを移動係数としたとき、次式で表している。
【数３】
0006529457.tif 000004
【００９１】
数値実施例１
単位 mm
面データ
面番号i      ri       di      ndi       vdi       有効径
1*        91.439    2.29   1.77250    49.6       60.19
2         30.650   16.18                         48.43
3        -90.113    1.70   1.77250    49.6       47.62
4         82.752    0.20                         46.59
5         59.860    4.88   1.85478    24.8       47.09
6        186.894    4.58                         46.76
7       -208.155    4.27   1.59522    67.7       46.65
8        -68.920    8.65                         46.76
9         78.112    1.40   1.85478    24.8       44.04
10         40.332    8.26   1.43875    94.9       42.63
11       -332.216    0.20                         42.53
12         83.842    4.17   1.49700    81.5       42.02
13       -746.759    0.20                         42.08
14         62.546    6.35   1.65160    58.5       42.47
15       -157.017  (可変)                         42.19
16       -183.698    0.90   1.81600    46.6       22.69
17         23.639    3.73                         21.29
18        -67.380    0.90   1.75500    52.3       21.42
19        165.971    0.20                         22.18
20         39.342    4.33   1.85478    24.8       23.43
21        -61.566    0.90   1.81600    46.6       23.54
22         60.666  (可変)                         23.77
23(絞り)     ∞    (可変)                         24.77
24        201.877    3.28   1.61800    63.3       25.53
25        -98.250    0.20                         26.01
26         49.409    5.53   1.65160    58.5       26.65
27        -41.463    1.20   1.74950    35.3       26.52
28        352.441  (可変)                         26.35
29         43.099    1.20   2.00069    25.5       26.28
30         34.211    0.75                         25.96
31         43.005    4.16   1.48749    70.2       26.06
32       -138.159  (可変)                         26.19
33       -327.586    1.20   2.00069    25.5       26.29
34        207.682    0.20                         26.40
35         41.219    3.69   1.92286    18.9       26.91
36      -2687.752    1.20   1.78470    26.3       26.63
37         32.044    5.66                         25.75
38         69.333    3.40   1.53775    74.7       27.05
39       -126.138    0.20                         27.12
40         47.255    6.41   1.43875    94.9       27.02
41        -34.706    1.20   1.95375    32.3       26.66
42      -1068.251   34.42                         26.94
像面        ∞   
非球面データ
第1面
K =-1.81302e+000  A 4= 8.42998e-007  A 6= 4.16656e-010  A 8=-2.88945e-013  
ズーム移動量データ
B21=32.14740
B31= 7.05092  B32=-5.98070  B33=35.14777  B34=-39.19330  B35= 3.90115
B36=-9.37366
各種データ
ズーム比      5.29 
広角     中間     望遠
焦点距離      17.00    37.03    90.00  
Fナンバー      4.00     4.00     4.00  
半画角        42.45    22.78     9.80  
像高          15.55    15.55    15.55  
レンズ全長   235.17   235.17   235.17  
BF            34.42    34.42    34.42  
d15            1.11    23.61    33.26  
d22           35.41    12.90     3.26  
d23            9.63    13.84     1.19  
d28           38.86    18.64     1.19  
d32            2.00    18.01    48.11  
入射瞳位置    34.55    49.40    57.97  
射出瞳位置  -121.13   -97.40   -68.58  
前側主点位置  49.70    76.02    69.34  
後側主点位置  17.42    -2.61   -55.58  
ズームレンズ群データ
群  始面    焦点距離  レンズ構成長  前側主点位置  後側主点位置
1    1      42.01        63.31        45.63         31.62
2   16     -20.89        10.96         1.61         -5.75
3   24      54.55        10.21         0.88         -5.30
4   29     110.63         6.12         1.40         -2.80
5   33   -1202.51        23.15        63.68         45.16
単レンズデータ
レンズ  始面  焦点距離
1       1    -60.39
2       3    -55.34
3       5    100.27
4       7    170.54
5       9    -98.33
6      10     82.33
7      12    151.48
8      14     69.16
9      16    -25.49
10      18    -63.08
11      20     28.38
12      21    -37.13
13      24    106.98
14      26     35.31
15      27    -49.10
16      29   -176.20
17      31     67.56
18      33   -125.71
19      35     43.48
20      36    -39.99
21      38     83.44
22      40     46.60
23      41    -37.36
【００９２】
数値実施例２
単位 mm
面データ
面番号i      ri       di      ndi       vdi       有効径
1        151.182    2.85   1.77250    49.6       51.61
2         37.054   11.23                         44.62
3       -108.262    2.38   1.77250    49.6       43.97
4        306.424    5.44                         43.69
5         79.631    4.06   1.85478    24.8       43.84
6        428.229    1.27                         43.46
7        213.865    4.94   1.59522    67.7       42.77
8       -119.863    8.00                         42.14
9        144.587    1.90   1.85478    24.8       35.38
10         42.296    4.59   1.49700    81.5       33.61
11        170.717    0.47                         33.21
12         78.853    4.98   1.59522    67.7       32.91
13       -101.573    0.19                         32.36
14         46.628    3.84   1.58913    61.1       31.64
15        174.884  (可変)                         30.99
16*         ∞       1.33   1.88300    40.8       21.46
17         25.235    2.74                         19.23
18        232.123    1.14   1.53775    74.7       18.62
19         24.583    3.03   1.85478    24.8       18.89
20        131.571    4.19                         18.80
21        -33.021    1.14   1.53775    74.7       18.83
22        172.990  (可変)                         19.42
23(絞り)     ∞    (可変)                         20.01
24         48.026    3.01   1.58313    59.4       21.00
25*      1306.064  (可変)                         21.14
26         46.277    3.67   1.49700    81.5       21.81
27       -154.226    0.19                         22.01
28         69.084    1.57   1.88300    40.8       22.13
29         26.494    4.70   1.49700    81.5       21.80
30        -93.642  (可変)                         21.97
31         44.710    1.57   1.48749    70.2       22.24
32         26.789   10.58                         21.86
33        133.694    4.86   1.43875    94.9       23.78
34        -31.673    1.78   1.88300    40.8       23.97
35        -59.962   50.01                         24.72
像面        ∞   
非球面データ
第16面
K =-2.37744e+009  A 4= 2.06174e-006  A 6=-1.42423e-009  A 8=-4.74999e-012  
第25面
K = 0.00000e+000  A 4= 4.59584e-006  A 6= 2.07147e-010  A 8=-1.15848e-012  
ズーム移動量データ
B21=23.66823
B31=-4.76378 B32=24.32548 B33=15.97729 B34=-99.12101 B35=68.59309
B36=-14.78897
フォーカス移動量データ
U12の移動量  5.16022
C13=-0.77175
各種データ
ズーム比      5.00 
広角     中間     望遠
焦点距離      24.00    53.14   120.00  
Fナンバー      5.60     5.60     5.60  
半画角        32.94    16.31     7.38  
像高          15.55    15.55    15.55  
レンズ全長   220.06   220.06   220.06  
BF            50.01    50.01    50.01  
d15            1.33    17.90    25.00  
d22           25.43     8.86     1.76  
d23           11.12    11.17     1.34  
d25           22.55    12.90     0.98  
d30            7.97    17.56    39.31  
入射瞳位置    39.31    55.29    63.23  
射出瞳位置  -122.49   -90.25   -66.14  
前側主点位置  59.97    88.30    59.26  
後側主点位置  26.01    -3.14   -69.99  
ズームレンズ群データ
群  始面    焦点距離  レンズ構成長  前側主点位置  後側主点位置
1    1      46.00        56.15        41.35         19.58
2   16     -20.00        13.57         3.92         -5.81
3   24      85.09         3.01        -0.07         -1.97
4   26      57.85        10.13         1.53         -5.21
5   31    -379.11        18.79       -17.55        -35.46
単レンズデータ
レンズ  始面  焦点距離
1       1    -63.93
2       3   -102.81
3       5    112.75
4       7    129.31
5       9    -69.88
6      10    111.47
7      12     75.09
8      14    106.32
9      16    -28.41
10      18    -51.07
11      19     34.58
12      21    -51.30
13      24     85.09
14      26     71.85
15      28    -49.24
16      29     41.98
17      31   -140.69
18      33     58.74
19      34    -77.89
【００９３】
数値実施例３
単位 mm
面データ
面番号i      ri       di      ndi       vdi       有効径
1*        65.303    1.70   1.80100    35.0       49.05
2         24.818   11.07                         40.26
3        827.587    1.20   1.80100    35.0       39.75
4         66.619    5.75                         38.61
5        -70.568    1.20   1.61800    63.3       38.60
6        991.530    0.20                         39.35
7         82.201    4.68   2.00069    25.5       40.16
8       -326.872    1.15                         40.02
9        110.763    3.48   1.59522    67.7       39.10
10*      -429.302    9.59                         38.69
11         64.145    1.00   1.85478    24.8       34.03
12         33.449    6.07   1.43875    94.9       33.58
13        251.523    0.20                         34.00
14         79.048    5.59   1.49700    81.5       34.54
15       -177.233    0.20                         34.76
16        153.550    4.76   1.72916    54.7       34.80
17        -78.097  (可変)                         34.65
18       -270.879    0.80   1.88300    40.8       23.31
19         30.151    4.21                         22.59
20        -69.579    0.80   1.65160    58.5       22.92
21        268.975    1.59                         23.55
22         48.249    4.62   1.85478    24.8       25.38
23        -89.785    0.80   1.77250    49.6       25.47
24         64.341  (可変)                         25.57
25(絞り)     ∞    (可変)                         26.46
26*        37.838    4.39   1.58313    59.4       28.00
27       -293.530    0.20                         27.95
28         92.127    2.62   1.65160    58.5       27.77
29      -1462.645    1.00   1.74950    35.3       27.49
30         77.003  (可変)                         27.09
31         54.510    1.00   2.00069    25.5       26.90
32         39.212    1.00                         26.45
33         58.977    4.08   1.48749    70.2       26.49
34        -82.461  (可変)                         26.43
35         80.352    3.32   1.95906    17.5       27.34
36       -207.144    1.83                         27.20
37       -138.477    1.00   1.85478    24.8       26.73
38         45.409    1.30                         26.50
39         58.043    5.70   1.59522    67.7       26.89
40        -45.171    1.60   1.72047    34.7       27.06
41     -14897.747   10.72                         27.50
42       -634.337    5.75   1.43875    94.9       29.68
43        -32.789    1.00   2.00100    29.1       30.04
44        -57.248   51.00                         31.03
像面        ∞   
非球面データ
第1面
K =-2.55264e-001  A 4= 1.52446e-006  A 6= 3.70002e-010  A 8=-1.76324e-013  
第10面
K =-3.63095e+001  A 4= 1.61251e-006  A 6=-4.24700e-010  A 8=-9.14016e-013  
第26面
K = 5.35918e-001  A 4=-4.47817e-006  A 6=-1.20201e-009  A 8=-2.26122e-012  
ズーム移動量データ
B21=19.58464
B31= 3.72449 B32=-17.34816 B33=15.38325 B34=-24.42959 B35=14.48850
B36=-6.24911
各種データ
ズーム比      3.00 
広角     中間     望遠
焦点距離      28.00    46.66    84.00  
Fナンバー      4.00     4.50     4.50  
半画角        37.69    24.87    14.44  
像高          21.63    21.63    21.63  
レンズ全長   235.02   235.02   235.02  
BF            51.00    51.00    51.00  
d17            0.98    12.73    20.57  
d24           23.17    11.42     3.59  
d25           14.84    11.82     1.41  
d30           25.05    15.18     4.43  
d34            2.80    15.69    36.85  
入射瞳位置    31.32    37.27    41.66  
射出瞳位置  -100.85   -84.93   -72.71  
前側主点位置  54.15    67.91    68.62  
後側主点位置  23.00     4.35   -33.00  
ズームレンズ群データ
群  始面    焦点距離  レンズ構成長  前側主点位置  後側主点位置
1    1      38.68        57.84        40.83         29.07
2   18     -25.82        12.83         1.38         -7.87
3   26      65.55         8.21        -1.53         -6.44
4   31     139.23         6.07         3.47         -0.80
5   35   -4432.96        32.23       242.63        204.86
単レンズデータ
レンズ  始面  焦点距離
1       1    -50.59
2       3    -89.91
3       5   -106.16
4       7     65.41
5       9    147.76
6      11    -82.25
7      12     86.97
8      14    110.47
9      16     71.31
10      18    -30.51
11      20    -84.41
12      22     36.94
13      23    -48.18
14      26     57.53
15      28    132.56
16      29    -96.92
17      31   -143.05
18      33     70.97
19      35     59.91
20      37    -39.53
21      39     43.42
22      40    -62.46
23      42     78.38
24      43    -77.65
【００９４】
数値実施例４
単位 mm
面データ
面番号i      ri       di      ndi       vdi       有効径
1*        97.792    2.70   1.77250    49.6       53.27
2         29.474   15.34                         43.47
3        -56.318    1.98   1.77250    49.6       42.47
4        256.814    1.68                         42.77
5         75.034    2.96   1.89286    20.4       43.60
6        121.200    2.03                         43.30
7        134.312    7.69   1.62041    60.3       43.27
8        -76.682    0.20                         42.88
9        109.133    1.89   1.85478    24.8       39.65
10         40.897    6.51   1.49700    81.5       37.59
11       1047.450    3.57                         38.11
12        115.553    5.76   1.59522    67.7       40.10
13        -97.158    0.18                         40.30
14         57.813    4.39   1.76385    48.5       39.78
15        272.396  (可変)                         39.22
16*       126.593    1.26   1.88300    40.8       24.15
17         25.583    4.21                         22.23
18        -89.927    1.08   1.59522    67.7       22.37
19         30.964    4.01   1.85478    24.8       23.12
20       -241.861    2.97                         23.18
21        -38.064    1.08   1.76385    48.5       23.17
22       -424.205  (可変)                         23.91
23(絞り)     ∞    (可変)                         24.76
24         37.406    3.24   1.59522    67.7       26.48
25*        97.863  (可変)                         26.43
26         86.583    4.63   1.49700    81.5       27.37
27        -61.314    0.18                         27.42
28         74.947    1.49   2.00100    29.1       26.85
29         37.523    4.89   1.49700    81.5       26.12
30       -147.368  (可変)                         25.89
31         37.376    2.81   1.95906    17.5       25.89
32         88.563    1.49   2.00069    25.5       25.39
33         33.580    5.36                         24.37
34        459.108    3.75   1.48749    70.2       24.55
35        -45.965    0.18                         24.60
36        132.563    5.48   1.49700    81.5       24.00
37        -25.588    1.68   1.95375    32.3       23.54
38       1781.582   43.52                         23.90
像面        ∞   
非球面データ
第1面
K = 5.58587e+000  A 4= 6.89166e-008  A 6= 1.67536e-010  A 8=-7.81810e-013  
第16面
K = 0.00000e+000  A 4= 1.99972e-007  A 6=-1.99181e-009  A 8= 6.32825e-013  
第25面
K = 0.00000e+000  A 4= 6.56253e-006  A 6=-6.81552e-011  A 8= 2.40306e-012  
ズーム移動量データ
B21=28.55285
Bsp1=10.44733 Bsp2=-18.81152 Bsp3=-7.30782 Bsp4= 4.06481 Bsp5=11.94457
Bsp6=-9.34884E-006
B31=-0.95657 B32=21.01994 B33=17.62048 B34=-93.71109 B35=62.61010
B36=-14.01060
各種データ
ズーム比      4.74 
広角     中間     望遠
焦点距離      19.00    39.17    90.00  
Fナンバー      4.00     4.00     4.00  
半画角        39.30    21.65     9.80  
像高          15.55    15.55    15.55  
レンズ全長   220.02   220.02   220.02  
BF            43.52    43.52    43.52  
d15            0.98    19.54    29.53  
d22           29.98    10.37     1.77  
d23            9.24    12.87     1.48  
d25           25.72    14.74     4.71  
d30            3.90    12.31    32.34  
入射瞳位置    33.55    45.40    53.68  
射出瞳位置   -79.89   -65.37   -44.34  
前側主点位置  49.63    70.48    51.48  
後側主点位置  24.52     4.35   -46.48  
ズームレンズ群データ
群  始面    焦点距離  レンズ構成長  前側主点位置  後側主点位置
1    1      45.00        56.89        42.94         30.86
2   16     -22.80        14.60         4.00         -6.37
3   24      99.38         3.24        -1.23         -3.22
4   26      58.95        11.20         2.33         -5.04
5   31    -245.97        20.75        40.56         21.94
単レンズデータ
レンズ  始面  焦点距離
1       1    -55.31
2       3    -59.34
3       5    211.66
4       7     79.48
5       9    -76.79
6      10     85.20
7      12     89.27
8      14     94.77
9      16    -36.31
10      18    -38.43
11      19     32.03
12      21    -54.54
13      24     99.38
14      26     72.77
15      28    -75.99
16      29     60.53
17      31     64.79
18      32    -54.29
19      34     85.63
20      36     43.53
21      37    -26.25
【００９５】
数値実施例５
単位 mm
面データ
面番号i      ri       di      ndi       vdi       有効径
1*       113.703    2.35   1.77250    49.6       67.99
2         22.597   16.64                         44.28
3         73.335    1.90   1.58313    59.4       42.54
4*        20.187    9.03                         35.99
5        195.447    1.90   1.69680    55.5       35.65
6         36.621    4.90                         34.16
7         52.226    1.90   1.59522    67.7       36.86
8         30.482    9.20   1.67270    32.1       37.64
9       -193.358    1.19                         37.76
10         82.793    5.21   1.62041    60.3       37.69
11       -168.583    3.69                         37.31
12        466.888    1.50   1.85478    24.8       34.98
13         26.287    7.31   1.49700    81.5       33.03
14        489.422    0.20                         33.09
15         51.952    7.52   1.76385    48.5       33.30
16        -52.718  (可変)                         32.77
17      18789.032    1.00   1.88300    40.8       18.53
18         19.460    2.95                         16.68
19        -86.466    1.00   1.77250    49.6       16.42
20         80.818    1.00                         16.19
21         40.320    1.00   1.49700    81.5       16.08
22         31.256    2.29   1.85478    24.8       16.39
23      -4187.237  (可変)                         16.55
24(絞り)    ∞     (可変)                         17.03
25         63.477    2.42   1.69680    55.5       17.52
26        317.373  (可変)                         17.58
27         26.860    1.15   1.95375    32.3       17.79
28         17.290    0.18                         17.23
29         17.166    5.97   1.48749    70.2       17.37
30        -63.521  (可変)                         17.24
31        -51.444    1.15   1.88300    40.8       15.57
32         32.658    3.40   1.84666    23.8       16.39
33        -54.456   11.52                         16.91
34         40.309    4.42   1.48749    70.2       21.04
35        -45.849    0.20                         21.08
36       -110.756    1.30   1.95375    32.3       20.89
37         18.035    5.95   1.49700    81.5       20.84
38       -209.702    7.42                         21.95
39         98.419   10.44   1.49700    81.5       27.80
40        -19.310    2.00   2.00100    29.1       28.79
41*       -26.367   39.94                         31.15
像面        ∞   
非球面データ
第1面
K =-1.92284e+000  A 4= 7.15243e-006  A 6=-3.60896e-009  A 8= 1.30630e-012  
第4面
K =-8.97019e-001  A 4= 9.29083e-006  A 6= 1.50655e-008  A 8=-7.25000e-011  
第41面
K = 2.73821e-001  A 4= 9.23770e-007  A 6=-1.89961e-009  A 8= 4.87802e-014  
ズーム移動量データ
B21=22.3598
B31=22.69680 B32=-23.26067 B33=19.88770 B34=2.95128 B35=-11.09764
B36=-10.81065
各種データ
ズーム比      2.50 
広角     中間     望遠
焦点距離      10.00    16.00    25.00  
Fナンバー      4.00     4.00     4.00  
半画角        57.26    44.19    31.88  
像高          15.55    15.55    15.55  
レンズ全長   221.23   221.23   221.23  
BF            39.94    39.94    39.94  
d16            0.90    17.67    23.26  
d23           24.23     7.46     1.87  
d24            0.99     9.70     1.36  
d26           11.70     3.04     0.88  
d30            2.27     2.23    12.73  
入射瞳位置    22.42    24.57    25.31  
射出瞳位置  -365.80  -412.19  -261.70  
前側主点位置  32.17    40.00    48.24  
後側主点位置  29.94    23.94    14.94  
ズームレンズ群データ
群  始面    焦点距離  レンズ構成長  前側主点位置  後側主点位置
1    1      22.35        74.42        36.29         51.30
2   17     -27.26         9.24        -1.08         -8.52
3   25     112.94         2.42        -0.35         -1.77
4   27      60.11         7.30         1.60         -3.32
5   31      93.44        47.81        48.37         20.31
単レンズデータ
レンズ  始面  焦点距離
1       1    -36.75
2       3    -48.21
3       5    -64.72
4       7   -126.71
5       8     39.51
6      10     89.86
7      12    -32.33
8      13     55.44
9      15     35.19
10      17    -21.93
11      19    -53.68
12      21   -289.58
13      22     35.96
14      25    112.94
15      27    -53.67
16      29     28.32
17      31    -22.35
18      32     24.31
19      34     44.60
20      36    -16.06
21      37     33.61
22      39     33.37
23      40    -83.37
【００９６】
数値実施例６
単位 mm
面データ
面番号i      ri       di      ndi       vdi       有効径
1        562.934    3.20   1.77250    49.6       71.99
2         57.833   13.95                         63.02
3       -156.055    2.70   1.77250    49.6       62.38
4        317.697    0.09                         61.97
5        102.927    5.17   1.89286    20.4       62.15
6        502.336    1.20                         61.79
7        456.378    7.09   1.59522    67.7       61.27
8       -113.573   10.11                         60.69
9        717.505    2.10   1.85478    24.8       51.44
10         58.493    7.53   1.49700    81.5       49.38
11       -306.332    0.20                         49.23
12         80.052    6.77   1.48749    70.2       47.81
13       -168.517    0.20                         47.23
14         73.153    4.39   1.76385    48.5       43.37
15        545.404  (可変)                         42.86
16*     -1688.576    1.40   1.88300    40.8       29.57
17         29.494    3.94                         25.99
18       -550.701    1.20   1.59522    67.7       25.47
19         28.246    4.27   1.85478    24.8       23.91
20       -331.870    2.91                         23.25
21        -39.684    1.20   1.76385    48.5       22.73
22        393.767  (可変)                         23.35
23(絞り)    ∞     (可変)                         25.62
24         47.943    3.66   1.59522    67.7       31.57
25*       106.370  (可変)                         31.53
26        124.725    4.89   1.49700    81.5       33.90
27        -83.433    0.20                         34.00
28        115.133    1.66   2.00069    25.5       33.60
29         59.080    5.46   1.49700    81.5       33.01
30       -102.429  (可変)                         32.91
31         76.122    5.81   1.95906    17.5       29.64
32        -83.750    1.66   2.00069    25.5       28.86
33         36.953    4.23                         27.52
34         38.834    8.65   1.43875    94.9       28.99
35        -27.698    1.87   1.88300    40.8       28.94
36        -57.527   45.24                         29.99
像面        ∞   
非球面データ
第16面
K =-2.44922e+004  A 4= 1.54355e-006  A 6= 5.37127e-011  A 8=-2.02838e-012  
第25面
K = 0.00000e+000  A 4= 3.53769e-006  A 6=-9.81912e-011  A 8= 1.21613e-013  
ズーム移動量データ
B21=39.65971
B31=14.86705 B32=-44.26662 B33=38.37101 B34=0.27553 B35=-14.80050
B36=-17.69515 B37=-0.65142 B38=1.67986
各種データ
ズーム比     10.00 
広角     中間     望遠
焦点距離      22.00    70.00   220.00  
Fナンバー      4.00     4.00     6.99  
半画角        35.25    12.52     4.04  
像高          15.55    15.55    15.55  
レンズ全長   285.09   285.09   285.09  
BF            45.24    45.24    45.24  
d15            1.18    29.12    40.84  
d22           41.26    13.32     1.60  
d23           23.61    20.91     1.39  
d25           30.19    15.06     1.49  
d30           25.90    43.73    76.83  
入射瞳位置    49.00    86.86   110.10  
射出瞳位置  -280.28  -135.33   -88.72  
前側主点位置  69.52   129.72   -31.20  
後側主点位置  23.24   -24.76  -174.76  
ズームレンズ群データ
群  始面    焦点距離  レンズ構成長  前側主点位置  後側主点位置
1    1      60.17        64.70        48.84         20.32
2   16     -22.43        14.92         4.07         -6.16
3   24     142.78         3.66        -1.84         -4.08
4   26      68.13        12.20         3.49         -4.58
5   31    -366.38        22.22         0.20        -15.53
単レンズデータ
レンズ  始面  焦点距離
1       1    -83.27
2       3   -134.49
3       5    142.46
4       7    152.96
5       9    -73.91
6      10     99.22
7      12    111.95
8      14    109.62
9      16    -32.63
10      18    -44.95
11      19     30.33
12      21    -46.91
13      24    142.78
14      26    101.08
15      28   -121.96
16      29     76.02
17      31     41.78
18      32    -25.21
19      34     38.28
20      35    -61.97
【００９７】
数値実施例７
単位 mm
面データ
面番号i      ri       di      ndi       vdi       有効径
1        241.893    2.85   1.81600    46.6       51.67
2         41.243   12.84                         45.57
3       -120.340    2.38   1.81600    46.6       44.40
4       1290.230    2.49                         44.43
5         80.751    4.50   1.85478    24.8       44.67
6        555.686    1.99                         44.23
7        881.945    4.05   1.59522    67.7       43.53
8       -113.225    9.59                         43.10
9        171.531    1.90   1.85478    24.8       38.18
10         47.819    5.28   1.49700    81.5       38.01
11        472.324    0.47                         38.30
12         96.571    5.62   1.53775    74.7       38.91
13        -87.790    0.19                         38.98
14         44.779    4.20   1.58913    61.1       37.80
15        182.756  (可変)                         37.36
16*         ∞       1.33   1.88300    40.8       22.67
17         25.459    3.81                         21.51
18       -237.682    1.14   1.53775    74.7       21.77
19         26.955    3.56   1.85478    24.8       22.46
20        276.273    2.59                         22.44
21        -33.375    1.14   1.53775    74.7       22.46
22        341.208  (可変)                         23.36
23         48.863    3.19   1.59522    67.7       24.96
24*      1448.195    1.00                         25.10
25(絞り)     ∞    (可変)                         25.25
26         45.952    4.09   1.49700    81.5       25.74
27       -148.523    0.19                         25.62
28         68.973    1.57   1.88300    40.8       25.24
29         26.343    5.28   1.49700    81.5       24.29
30        -91.443  (可変)                         24.15
31         34.572    1.57   1.51633    64.1       19.35
32         23.749   15.20                         18.99
33        170.302    4.16   1.43875    94.9       21.78
34        -31.731    1.78   1.88300    40.8       21.97
35        -70.888   44.46                         22.68
像面        ∞   
非球面データ
第16面
K =-1.33729e+016  A 4= 1.41985e-006  A 6=-5.85000e-010  A 8=-5.40164e-012  
第24面
K = 0.00000e+000  A 4= 4.60897e-006  A 6= 3.13168e-010  A 8=-7.78343e-013  
ズーム移動量データ
B21=24.18000
B31=-4.77841 B32=24.30657 B33=15.95279 B34=-99.15343 B35=68.55736
B36=-14.78897
フォーカス移動量データ
U12の移動量  4.086359
C13=-0.755270
各種データ
ズーム比      5.00 
広角     中間     望遠
焦点距離      26.00    58.00   130.00  
Fナンバー      5.00     5.00     5.00  
半画角        30.88    15.01     6.82  
像高          15.55    15.55    15.55  
レンズ全長   222.20   222.20   222.20  
BF            44.46    44.46    44.46  
d15            1.22    17.99    25.40  
d22           36.07    19.43     1.99  
d25           20.14    10.70     0.87  
d30           10.39    19.71    39.56  
入射瞳位置    41.74    62.81    69.38  
射出瞳位置   -61.62   -54.92   -59.33  
前側主点位置  61.37    86.96    36.54  
後側主点位置  18.46   -13.54   -85.54  
ズームレンズ群データ
群  始面    焦点距離  レンズ構成長  前側主点位置  後側主点位置
1    1      46.00        58.34        42.17         18.91
2   16     -20.00        13.57         3.37         -6.23
3   23      84.59         4.19        -0.07         -3.06
4   26      57.18        11.12         1.79         -5.64
5   31    -191.66        22.70        -0.76        -21.43
単レンズデータ
レンズ  始面  焦点距離
1       1    -61.01
2       3   -134.11
3       5    109.01
4       7    168.25
5       9    -77.39
6      10    106.30
7      12     86.16
8      14     99.17
9      16    -28.66
10      18    -44.81
11      19     34.39
12      21    -56.29
13      23     84.59
14      26     70.90
15      28    -48.84
16      29     41.65
17      31   -154.04
18      33     61.19
19      34    -66.09
【００９８】
【表１】
0006529457.tif 000005
【符号の説明】
【００９９】
１０１  ：ズームレンズ
Ｂ１    ：第１レンズ群
Ｂ２    ：第２レンズ群
Ｂ３    ：第３レンズ群
Ｂ４    ：第４レンズ群
Ｂ５    ：第５レンズ群
【図１】
0006529457.tif 000006
【図２】
0006529457.tif 000007
【図３】
0006529457.tif 000008
【図４】
0006529457.tif 000009
【図５】
0006529457.tif 000010
【図６】
0006529457.tif 000011
【図７】
0006529457.tif 000012
【図８】
0006529457.tif 000013
【図９】
0006529457.tif 000014
【図１０】
0006529457.tif 000015
【図１１】
0006529457.tif 000016
【図１２】
0006529457.tif 000017
【図１３】
0006529457.tif 000018
【図１４】
0006529457.tif 000019
【図１５】
0006529457.tif 000020